Podtech/llm-jp-corpus-v4-ja_patent huggingface dataset:
【手続補正書】
【提出日】平成21年3月12日(2009.3.12)
【手続補正１】
【補正対象書類名】明細書
【補正対象項目名】００２５
【補正方法】変更
【補正の内容】
【００２５】
グリップ６６は円筒体６８とシャフト６９とバネ７０とノブ７１とからなる。円筒体６８はスリーブ６１の外側面に接続される。シャフト６９は円筒体６８の軸方向に円筒体６８に挿通されている。円筒体６８内のシャフト６９の端部には遮断子６３が接続されている。遮断子６３の径はシャフト６９の径よりも大きく且つ円筒体６８の内径よりも小さく設定されている。遮断子６３は円筒体６８内に収納されたバネ７０によってスリーブ６１方向に付勢されている。遮断子６３は押し上げ部１４を駆動部１２の動作に非連動させる時にグリップ６７に具備されたシャフト７３によって制止されるようになっている。図５に示された形態では、遮断子６３の外周面に溝６３１が形成されている。そして、押し上げ部１４を非連動させる際に図５に示されたようにグリップ６７に具備されたバネ７４の付勢によってシャフト７３の端部が溝６３１に嵌り込むことにより遮断子６３が制止するようになっている。ノブ７１は、前記使用者によって引かれる取っ手であり、円筒体６８の端面から突出したシャフト６９の端部に装着される。
【手続補正２】
【補正対象書類名】明細書
【補正対象項目名】００３０
【補正方法】変更
【補正の内容】
【００３０】
次いで、押し上げ部１４を操作アーム１１の動作に連動させてトレーニングを行う場合、切り替え装置４によって押し上げ部１４が連動に設定される。すなわち、図６に示されたグリップ６７のノブ７６が上方向に引かれると、円筒体６８内の遮断子６３がバネ７０によって付勢されてスリーブ６１内に挿入されてスリーブ６１内のシャフト６２の挿通経路が遮断された状態となる。これによりスリーブ６１内に導入されているシャフト６２の端面は遮断子６３の接触圧を受けることが可能となり、押し上げ部１４が操作アーム１１に連動するようになる。そして、図７に示されたように、シート４１に着座した使用者１０が、両足を任意の足掛け４３に掛けると共に背中及び腰部をそれぞれ背当てパッド２２及び固定パッド４２に当接させ、さらにグリップ２４を掴んで左右の肘をそれぞれの肘当てパット２３に当接させた状態で前屈すると、操作アーム１１の回動に伴い押し上げ部１４が回動する。すなわち、操作アーム１１の回動に伴う切り替え装置４のスリーブ６１の往復動に連動してシャフト６２が往復動する。シャフト６２の下端は押し上げ部１４のプレート５３に軸着されているので、シャフト６２の往復動に伴い、押し上げローラー５１を備えたプレート５４は回転軸５２を中心に揺動する。これにより押し上げローラー５１は着座部１３の保持部４５の下端を支持しながら回転軸５２を中心に上下に揺動する。したがって、操作アーム１１が矢印方向に回動するに伴い保持部４５の下端は矢印方向に回動する。これにより前記使用者は腰部を軸に前屈運動する状態となる。操作アーム１１には予め荷重負荷装置３において設定されたウェイト８２の負荷がかかっているので、前記前屈運動のときに腹直筋の上半部分と下半部分に前記設定されたウェイト８２の負荷がかかる。したがって、腹直筋の上半部分ばかりでなく下半部分のトレーニングも可能となる。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
超音波と電気信号を相互に変換する振動子を複数配列してなり、前記振動子は、基板と、該基板上に設けられた複数の振動要素を備え、前記振動要素は、前記基板上に設けられた振動膜と、該振動膜と前記基板との間に空間を形成して前記振動膜を支持する支持部とを備え、前記支持部の内部に、前記振動膜と前記基板との間を伝播する超音波を抑制する遮音部が設けられてなることを特徴とする超音波探触子。
【請求項２】
前記遮音部は、前記基板に隣接して設けられてなることを特徴とする請求項１に記載の超音波探触子。
【請求項３】
前記遮音部は、前記支持部と前記基板のいずれよりも低い音響インピダンスを有する低音響インピダンス部、又は前記超音波を吸音する吸音部であることを特徴とする請求項１又は２に記載の超音波探触子。
【請求項４】
前記低音響インピダンス部は、空間、又は金属、ガラス、セラミック、フェライトを基材とする多孔質部材であることを特徴とする請求項３に記載の超音波探触子。
【請求項５】
前記吸音部は、金属、ガラス、セラミック、フェライトを基材とする多孔質部材、又は前記多孔質部材に金属の粉体を混在させた部材であることを特徴とする請求項３に記載の超音波探触子。      
【請求項６】
超音波と電気信号を相互に変換する振動子を複数配列してなり、前記振動子は、基板と、該基板上に設けられた複数の振動要素を備え、前記振動要素は、前記基板上に設けられた振動膜と、該振動膜と前記基板との間に空間を形成して前記振動膜を支持する支持部とを備え、前記支持部の内部の前記基板側に、前記支持部と、前記基板のいずれよりも低い音響インピダンスを有する低音響インピダンス部が設けられ、前記支持部の内部であって前記低音響インピダンス部の前記基板に対向する側に、前記振動膜と前記基板との間を伝播する超音波を吸音する吸音部が設けられてなることを特徴とする超音波探触子。
【請求項７】
超音波と電気信号を相互に変換する振動子を複数配列してなり、前記振動子は、基板と、該基板上に設けられたベース膜と、該ベース膜上に設けられた複数の振動要素を備え、前記振動要素は、前記ベース膜上に設けられた振動膜と、該振動膜と前記ベース膜との間に空間を形成して前記振動膜を支持する支持部とを備え、前記ベース膜の内部に、前記振動膜と前記基板との間を伝播する超音波を抑制する遮音部が設けられてなることを特徴とする超音波探触子。
【請求項８】
前記遮音部は、前記ベース膜の前記支持部と前記基板に挟まれた部分に設けられ、前記遮音部の端部は、前記振動膜と前記ベース膜との間に形成された空間の下部にまで伸長されてなることを特徴とする請求項７に記載の超音波探触子。
【請求項９】
請求項１乃至８のいずれか１項の超音波探触子と、該超音波探触子に駆動信号を供給する送信手段と、前記超音波探触子に供給される駆動信号に直流バイアス電圧を重畳するバイアス手段と、前記超音波探触子から出力される反射エコー信号に受信処理を施す受信手段と、該受信手段から出力される反射エコー信号に対し整相及び加算処理を施す整相加算手段と、該整相加算手段から出力される反射エコー信号に基づき超音波像を構成する画像処理手段と、該画像処理手段から出力される超音波像を表示する表示手段とを備えてなる超音波診断装置。
【手続補正２】
【補正対象書類名】明細書
【補正対象項目名】発明の名称
【補正方法】変更
【補正の内容】
【発明の名称】超音波探触子及び超音波診断装置
【手続補正３】
【補正対象書類名】明細書
【補正対象項目名】０００１
【補正方法】変更
【補正の内容】
【０００１】
本発明は、被検体との間で超音波を送受する振動子が複数配列された超音波探触子及び超音波診断装置に関する。
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
先端部に対物光学系を備え細長で湾曲部を有した、管腔内に挿入される挿入部と、
前記挿入部が挿入される前記管腔内の被検部位を撮像する撮像手段と、
前記撮像手段からの撮像信号を信号処理し前記被検部位の画像を表示手段に表示させる信号処理手段とを有する内視鏡装置において、
前記挿入部の先端より前記被検部位を照明する照明光を発光する光源手段と、
前記湾曲部の湾曲動作を指示する湾曲指示手段と、
前記湾曲指示手段の湾曲指示に基づく前記湾曲部の湾曲動作に連動して前記光源手段の輝度を制御する輝度制御手段とを備えたことを特徴とする内視鏡装置。
【請求項２】
前記輝度制御手段は、前記湾曲部の湾曲動作に連動して前記光源手段の輝度レベルを増減させる高く設定することを特徴とする請求項１記載の内視鏡装置。
【請求項３】
前記輝度制御手段は、前記湾曲部の湾曲動作停止に連動して前記光源手段による照明光の最も明るいエリアが表示手段に表示される画像の中心部となるよう設定することを特徴とする請求項１記載の内視鏡装置。
【請求項４】
前記光源手段は、前記挿入部の先端面に配置され、前記挿入部の先端前方を照明する複数の発光素子から構成されることを特徴とする請求項１乃至３に記載の内視鏡装置。
【請求項５】
前記挿入部の先端部内の温度を検知する温度検知手段をさらに備え、前記輝度制御手段は、前記温度検知手段が検知した温度データに基づき、前記湾曲制御手段の湾曲制御に連動して前記光源手段の輝度を制御することを特徴とする請求項１乃至４に記載の内視鏡装置。
【請求項６】
前記光源手段の照明光が照明された前記被検部位の照度を検知する照度検知手段をさらに備え、前記輝度制御手段は、前記照度検知手段が検知した照度データに基づき、前記湾曲制御手段の湾曲制御に連動して前記光源手段の輝度を制御することを特徴とする請求項１乃至５に記載の内視鏡装置。
【請求項７】
前記内視鏡装置は、前記湾曲指示手段の湾曲指示に基づき前記湾曲部を湾曲させる湾曲制御手段をさらに備え、前記輝度制御手段は、前記湾曲制御手段の湾曲制御に連動して前記光源手段の輝度を制御することを特徴とする請求項１記載の内視鏡装置。
【請求項８】
前記湾曲指示手段は、前記湾曲部に対して湾曲方向を指示することを特徴とする請求項１又は７記載の内視鏡装置。
【請求項９】
前記湾曲指示手段は、前記表示手段に対して前記湾曲部の湾曲方向を指示することを特徴とする請求項１又は７記載の内視鏡装置。
【手続補正２】
【補正対象書類名】明細書
【補正対象項目名】００１４
【補正方法】変更
【補正の内容】
【００１４】
本発明の内視鏡装置は、先端部に対物光学系を備え細長で湾曲部を有した、管腔内に挿入される挿入部と、前記挿入部が挿入される前記管腔内の被検部位を撮像する撮像手段と、前記撮像手段からの撮像信号を信号処理し前記被検部位の画像を表示手段に表示させる信号処理手段とを有する内視鏡装置において、前記挿入部の先端より前記被検部位を照明する照明光を発光する光源手段と、前記湾曲部の湾曲動作を指示する湾曲指示手段と、前記湾曲指示手段の湾曲指示に基づく前記湾曲部の湾曲動作に連動して前記光源手段の輝度を制御する輝度制御手段とを備えて構成される。
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
運動センサから取得された時系列の波形データを解析する解析手段と、前記解析手段により解析された解析結果を表示する表示手段とを備えた運動機能検査装置であって、
前記解析手段は、複数の前記波形データに基づいてそれぞれ取得される複数の運動波形間の位相を比較する位相比較手段を含み、
前記位相比較手段は、
前記運動波形において、所定時間幅の周波数解析区間を抽出する周波数解析区間抽出手段と、
前記周波数解析区間の周波数解析演算を行い、前記周波数解析区間の最大周波数の位相を算出する周波数解析手段と、
前記複数の運動波形間の前記最大周波数の位相差を算出する位相差算出手段と、を含み、
前記周波数解析区間抽出手段は、
前記運動波形において、前記所定時間幅より小さい時間幅でずらしながら複数の前記周波数解析区間を抽出する
ことを特徴とする運動機能検査装置。
【請求項２】
前記運動波形は、距離波形、速度波形、加速度波形、躍度波形、および、該４つの運動波形にそれぞれ変換可能な前記波形データのうち、少なくとも一つを含むことを特徴とする請求項１に記載の運動機能検査装置。
【請求項３】
前記周波数解析手段は、さらに、
前記周波数解析区間の最大周波数および前記最大周波数の強度を算出することを特徴とする請求項２に記載の運動機能検査装置。
【請求項４】
前記最大周波数、前記最大周波数の強度および時間のうち、少なくとも二つを含む相関図を作成して前記表示手段に出力する表示処理部を備えたことを特徴とする請求項３に記載の運動機能検査装置。
【請求項５】
前記解析手段は、前記算出された位相差に基づいて被験者の異常部位を判定し、
前記表示処理部は、当該異常部位と判定された結果を前記表示手段に出力して表示させる
ことを特徴とする請求項４に記載の運動機能検査装置。
【請求項６】
運動センサから取得された時系列の波形データを解析する解析手段と、前記解析手段により解析された解析結果を表示する表示手段とを備えた運動機能検査装置であって、
前記解析手段は、複数の前記波形データに基づいてそれぞれ取得される複数の運動波形間の位相を比較する位相比較手段を含み、
前記運動波形は、距離波形、速度波形、加速度波形、躍度波形、および、該４つの運動波形にそれぞれ変換可能な前記波形データのうち、少なくとも一つを含み、
前記位相比較手段は、
前記運動波形のピーク点を抽出するピーク点抽出手段と、
時間的に隣り合う前記ピーク点の時間差からなるピーク時間差を算出するピーク時間差算出手段と、
前記複数の運動波形間において前記ピーク点を対応させる運動波形間ピーク対応手段と、
対応させた前記ピーク点の時間差からなる運動波形間時間差および前記ピーク時間差に基づいて、前記複数の運動波形間の位相差を算出する位相差算出手段と、
を含むことを特徴とする運動機能検査装置。
【請求項７】
前記運動波形間ピーク対応手段は、
前記複数の運動波形において抽出したピーク点の数が同じである場合には、前記複数の運動波形間で前記ピーク点を時間順に対応させることを特徴とする請求項６に記載の運動機能検査装置。
【請求項８】
前記運動波形間ピーク対応手段は、
前記複数の運動波形において抽出したピーク点の数が異なる場合には、前記複数の運動波形のうち一つの運動波形の前記ピーク点を基準ピーク点とし、前記基準ピーク点との前記運動波形間時間差が最小となるように前記複数の運動波形のうち前記一つの運動波形とは異なる運動波形のピーク点を対応させることを特徴とする請求項６に記載の運動機能検査装置。
【請求項９】
運動センサから取得された時系列の波形データを解析する解析手段と、前記解析手段により解析された解析結果を表示する表示手段とを備え、前記解析手段は、複数の前記波形データに基づいてそれぞれ取得される複数の運動波形間の位相を比較する位相比較手段を含んでなる運動機能検査装置を用いて、複数の前記波形データに基づいてそれぞれ取得される複数の運動波形間の位相を比較する運動波形間の位相比較方法であって、
前記位相比較手段は、
前記運動波形において、所定時間幅の周波数解析区間を抽出する周波数解析区間抽出ステップと、
前記周波数解析区間の周波数解析演算を行い、前記周波数解析区間の最大周波数の位相を算出する周波数解析ステップと、
前記複数の運動波形間の前記最大周波数の位相差を算出する位相差算出ステップと、
を実行することを特徴とする運動波形間の位相比較方法。
【請求項１０】
前記周波数解析区間抽出ステップは、
前記運動波形において、前記所定時間幅より小さい時間幅でずらしながら複数の前記周波数解析区間を抽出することを特徴とする請求項９に記載の運動波形間の位相比較方法。
【請求項１１】
運動センサから取得された時系列の波形データを解析する解析手段と、前記解析手段により解析された解析結果を表示する表示手段とを備え、前記解析手段は、複数の前記波形データに基づいてそれぞれ取得される複数の運動波形間の位相を比較する位相比較手段を含んでなる運動機能検査装置を用いて、複数の前記波形データに基づいてそれぞれ取得される複数の運動波形間の位相を比較する運動波形間の位相比較方法であって、
前記位相比較手段は、
前記運動波形のピーク点を抽出するピーク点抽出ステップと、
時間的に隣り合う前記ピーク点の時間差からなるピーク時間差を算出するピーク時間差算出ステップと、
前記複数の運動波形間において前記ピーク点を対応させる運動波形間ピーク対応ステップと、
対応させた前記ピーク点の時間差からなる運動波形間時間差および前記ピーク時間差に基づいて、前記複数の運動波形間の位相差を算出する位相差算出ステップと、
を実行することを特徴とする運動波形間の位相比較方法。
【請求項１２】
前記運動波形間ピーク対応ステップは、
前記複数の運動波形において抽出したピーク点の数が同じである場合には、前記複数の運動波形間で前記ピーク点を時間順に対応させることを特徴とする請求項１１に記載の運動波形間の位相比較方法。
【請求項１３】
前記運動波形間ピーク対応ステップは、
前記複数の運動波形において抽出したピーク点の数が異なる場合には、前記複数の運動波形のうち一つの運動波形の前記ピーク点を基準ピーク点とし、前記基準ピーク点との前記運動波形間時間差が最小となるように前記複数の運動波形のうち前記一つの運動波形とは異なる運動波形のピーク点を対応させることを特徴とする請求項１１に記載の運動波形間の位相比較方法。
【手続補正書】
【提出日】平成21年4月14日(2009.4.14)
【手続補正１】
【補正対象書類名】明細書
【補正対象項目名】００７１
【補正方法】変更
【補正の内容】
【００７１】
重力ベクトル８２は、図１２に示すように、キャラクタの上方向ベクトル７２と同じまたは逆方向のベクトルである。重力ベクトル８２は、キャラクタを前進方向ラインと同じ高度（仮想ゲーム世界における高度）で飛行させるように機能するベクトルである。重力ベクトル８２の向きはキャラクタの現在位置７０の高度と、前進方向ライン上での現在位置７６の高度との大小関係に依存して変化し、キャラクタの現在位置７０の高度が、前進方向ライン上での現在位置７６の高度よりも高い場合には重力ベクトル８２の向きはキャラクタの上方向ベクトル７３と逆向きとなり、キャラクタの現在位置７０の高度が、前進方向ライン上での現在位置７６の高度よりも低い場合には重力ベクトル８２の向きはキャラクタの上方向ベクトル７３と同じ向きとなる。
【手続補正２】
【補正対象書類名】明細書
【補正対象項目名】００７２
【補正方法】変更
【補正の内容】
【００７２】
移動ベクトル８３は、上記の前進ベクトル７９、左右移動ベクトル８０、慣性ベクトル８１、および重力ベクトル８２を合成したベクトルであって、この移動ベクトル８３に基づいてキャラクタの現在位置７０が毎フレーム、随時更新される。
【手続補正３】
【補正対象書類名】明細書
【補正対象項目名】００８０
【補正方法】変更
【補正の内容】
【００８０】
また、ステップＳ１４およびステップＳ１６において、キャラクタの現在位置７０に最も近い制御点を探す際に、直前の「最も近い制御点」を考慮して決定してもよい。すなわち、例えば、「最も近い制御点」を探すごとに当該制御点の情報をゲーム機本体３のワークメモリ３２に記憶しておいて、次回に「最も近い制御点」を探す際は、直前の「最も近い制御点」の近辺（または後に連続する）の制御点だけを候補とし、それらの候補の中から「最も近い制御点」を探すことが可能である（後に連続する制御点を次々と判定して、現在位置から遠くなった時点でその前の制御点を「最も近い制御点」としてもよい）。
【手続補正４】
【補正対象書類名】明細書
【補正対象項目名】０１０６
【補正方法】変更
【補正の内容】
【０１０６】
【図１】本発明の一実施形態に係るゲームシステム１の外観図
【図２】一般的なコントローラを用いる場合のゲームシステム１の外観図
【図３】ゲーム機本体３の内部構成図
【図４】テレビ２の画面に表示されるゲーム画像の一例
【図５】前進方向ラインとキャラクタの前進方向の関係を示す図
【図６】ワークメモリ３２のメモリマップ
【図７】前進方向ラインデータ４３の具体例
【図８】制御点データ４４の具体例
【図９】キャラクタ制御データ４５の具体例
【図１０】ＣＰＵ３１の処理の流れを示すフローチャート
【図１１】キャラクタの前進方向ベクトルと右方向ベクトルと上方向ベクトルを示す図
【図１２】前進ベクトルと左右移動ベクトルと慣性ベクトルと重力ベクトルを示す図
【図１３】前進方向ラインと制御点の関係を示す図
【図１４】補間処理の詳細を示す図
【図１５】仮想カメラの制御例を示す図
【図１６】仮想カメラの制御例を示す他の図
【図１７】仮想カメラの制御例を示すさらに他の図
【図１８】前進方向ラインの具体例
【図１９】前進方向ラインの他の具体例
【手続補正書】
【提出日】平成21年4月3日(2009.4.3)
【手続補正１】
【補正対象書類名】明細書
【補正対象項目名】００１０
【補正方法】変更
【補正の内容】
【００１０】
さらに、前記の好ましい手段を作用した場合には、次の効果が得られる。
（ａ）前記位置合せ治具を備える場合には、針落ち穴が筒形加工布に隠れて見えなくても、オペレータは位置合せ治具の開口部の輪郭に基づいて縫い始め箇所を針落ち穴に容易に合わせることができる。
（ｂ）縫製窓を伸縮できるようにした場合には、一つの平枠で太さや刺繍範囲が異なる筒形加工布に対応して適用することができ、最大限の刺繍範囲を確保することもできる。また、縫製窓を長方形と台形との間の形状変化を伴いながら伸縮できるようにした場合には、一つの平枠でブーツカットジーンズ等の異形縫製品を加工する場合に、枠交換不要で対応することができる。
（ｃ）前記押え枠を備える場合には、支持枠と押え枠のどちらの枠でも強度をもたせることができるため、刺繍面積に影響の出る側の構造がシンプルにできる。そのため、ズボンや腕部等のような長尺の筒形加工布により適用しやすい。
【手続補正書】
【提出日】平成21年4月3日(2009.4.3)
【手続補正１】
【補正対象書類名】明細書
【補正対象項目名】０００２
【補正方法】変更
【補正の内容】
【０００２】
従来、円筒形の旋回枠に縫製窓を形成し、縫製窓に芯地を介して加工布を張り付け、旋回枠を刺繍機の枠駆動装置で前後方向に移動するとともに円周方向に回転して、加工布に刺繍柄を加工する技術が知られている。例えば特許文献１には、旋回枠に前後に長い縫製窓を形成し、縫製窓に被せた芯地を縫製窓よりも長い芯地押え部材で支持枠に保持し、芯地に靴下やリストバンド等の筒形加工布を張り付ける装置が記載されている。特許文献２には、前後方向に短い旋回枠を円筒形の支持枠で内側から支持し、旋回枠に保持した帽子の踊りや変形を押える装置が記載されている。
【特許文献１】特開２００３−３２６０４９号公報
【特許文献２】特開平７−１０９６６０号公報
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
樹脂層を少なくとも有する板材に対して、パンチ及びダイスを有する順送プレス用金型で複数の開口部を形成するプレス加工方法において、
前記複数の開口部の内の第１開口部を、隣り合う第２開口部に対して局部的に接近した接近部を含む接近領域と、当該接近領域以外の残部領域とに区画し、
前記板材における接近領域に対応する部分を第２開口部に対応する部分と同一ステージで同時に打ち抜いて接近領域及び第２開口部を形成し、
前記板材における残部領域に対応する部分を接近領域及び第２開口部とは異なるステージで打ち抜くことで、接近領域と残部領域とを一連に繋げて第１開口部を形成することを特徴とするプレス加工方法。
【請求項２】
前記板材における前記第１開口部の接近領域及び第２開口部を同時に打ち抜くステージを、第１開口部の残部領域を打ち抜くステージの前に設定したことを特徴とする請求項１に記載のプレス加工方法。
【請求項３】
樹脂層を少なくとも有する板材に対して、パンチ及びダイスを有する順送プレス用金型で複数の開口部を形成するプレス加工方法において、
前記複数の開口部の内の第１開口部を、隣り合う第２開口部に対して局部的に接近した接近部を含む接近領域と、当該接近領域以外の残部領域とに区画し、
前記接近領域及び前記第２開口部に対応する第１パンチ刃と、前記残部領域に対応する第２パンチ刃とを、両パンチ刃の打ち抜き方向の高さを互いに異ならせて同一のパンチに形成し、
前記板材における接近領域に対応する部分を第２開口部に対応する部分と同時に前記第１パンチ刃によって打ち抜いて接近領域及び第２開口部を形成し、
前記板材における残部領域に対応する部分を接近領域及び第２開口部とは異なるタイミングで前記第２パンチ刃によって打ち抜くことにより、接近領域と残部領域とを一連に繋げて第１開口部を形成することを特徴とするプレス加工方法。
【請求項４】
前記第２パンチ刃と打ち抜き方向に対向する位置に可動ダイスが設けられ、
該可動ダイスは打ち抜き方向とは逆向きに付勢されていることを特徴とする請求項３に記載のプレス加工方法。
【手続補正２】
【補正対象書類名】明細書
【補正対象項目名】００１６
【補正方法】変更
【補正の内容】
【００１６】
また、本発明は、樹脂層を少なくとも有する板材に対して、パンチ及びダイスを有する順送プレス用金型で複数の開口部を形成するプレス加工方法において、
前記複数の開口部の内の第１開口部を、隣り合う第２開口部に対して局部的に接近した接近部を含む接近領域と、当該接近領域以外の残部領域とに区画し、
前記接近領域及び前記第２開口部に対応する第１パンチ刃と、前記残部領域に対応する第２パンチ刃とを、両パンチ刃の打ち抜き方向の高さを互いに異ならせて同一のパンチに形成し、
前記板材における接近領域に対応する部分を第２開口部に対応する部分と同時に前記第１パンチ刃によって打ち抜いて接近領域及び第２開口部を形成し、
前記板材における残部領域に対応する部分を接近領域及び第２開口部とは異なるタイミングで前記第２パンチ刃によって打ち抜くことにより、接近領域と残部領域とを一連に繋げて第１開口部を形成することを特徴とする。
また、上記構成に加えて、第２パンチ刃と打ち抜き方向に対向する位置に可動ダイスが設けられ、該可動ダイスは打ち抜き方向とは逆向きに付勢されている構成を採用することもできる。
【手続補正３】
【補正対象書類名】明細書
【補正対象項目名】００１７
【補正方法】変更
【補正の内容】
【００１７】
これらの構成によれば、板材における接近領域に対応する部分を、第２開口部に対応する部分と同時に第１パンチ刃によって打ち抜いて接近領域及び第２開口部を形成し、残部領域に対応する部分を接近領域及び第２開口部とは異なるタイミングで第２パンチ刃によって打ち抜くことにより接近領域と残部領域とを一連に繋げて第１開口部を形成するので、これらの開口部を同一ステージで形成することができ、その分、ダイスの小型化に寄与することが可能となる。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
鋼板、非鉄金属板、樹脂板、あるいはフィルム状からなる被洗浄面に付着した水分、油分、あるいは薬品成分等の液体を除去、搾取、洗浄する為のロールにおいて、前記ロールはロール部及び台座を有し、前記台座は外周面に前記ロール部が形成される本体部、及び前記本体部の両端に連接される継ぎ手部Ａ、及び継ぎ手部Ｂを有し、前記継ぎ手部Ａから前記継ぎ手部Ｂの方向に流体が貫通するよう前記継ぎ手部Ａ側から前記継ぎ手部Ｂ側に近づくほど開口面積が小から大に変化する開口部が前記本体部に形成されてあると共に、前記開口部に連通する孔部が前記本体部の外周面に形成されてあることを特徴とするロール。
【請求項２】
請求項１記載の構成よりなるロールにおいて、前記継ぎ手部Ａの端部から前記開口部の継ぎ手部Ａ側の端部に近づくほど開口面積が大から小に変化する絞り開口部が前記継ぎ手部Ａに形成されてあると共に、前記絞り開口部は前記開口部に連通するよう形成されてあることを特徴とするロール。
【請求項３】
請求項１又は２記載の構成よりなるロールにおいて、前記本体部の継ぎ手部Ｂ側の端部外方に、前記開口部における最大開口面積以上の面積を有する流通路が形成されてあることを特徴とするロール。
【請求項４】
請求項１から３のいずれか１項に記載の構成よりなるロールにおいて、前記流通路の少なくとも一部が、前記ロールの回転方向の外方に形成されてあることを特徴とするロール。
【請求項５】
請求項１から４のいずれか１項に記載の構成よりなるロールにおいて、前記開口部の壁面の面積にたいする前記孔部の断面積の比率が、前記開口部の継ぎ手部Ｂ側に近づくほど小から大に変化することを特徴とするロール。
【請求項６】
請求項１から５のいずれか１項に記載の構成よりなるロールにおいて、前記ロールにたいして重量補正手段が形成されてあることを特徴とするロール。
【手続補正２】
【補正対象書類名】明細書
【補正対象項目名】００１５
【補正方法】変更
【補正の内容】
【００１５】
第１の発明は、鋼板、非鉄金属板、樹脂板、あるいはフィルム状からなる被洗浄面に付着した水分、油分、あるいは薬品成分等の液体を除去、搾取、洗浄する為のロールにおいて、前記ロールはロール部及び台座を有し、前記台座は外周面に前記ロール部が形成される本体部、及び前記本体部の両端に連接される継ぎ手部Ａ、及び継ぎ手部Ｂを有し、前記継ぎ手部Ａから前記継ぎ手部Ｂの方向に流体が貫通するよう前記継ぎ手部Ａ側から前記継ぎ手部Ｂ側に近づくほど開口面積が小から大に変化する開口部が前記本体部に形成されてあると共に、前記開口部に連通する孔部が前記本体部の外周面に形成されてあるもので、流体を継ぎ手部Ａから継ぎ手部Ｂの方向に貫通させると、開口部の断面積変化による負圧の発生に伴うベンチュリー効果により、ロール部に吸収された液体は、圧力の高い方から低い方へ移動するので、台座の本体部に引き寄せられることになり、本体部の外周面に形成された孔部を介して、開口部に排出され、開口部を通る流体と共に継ぎ手部Ｂ側からロール外部に常に放出される。その為、ロール部は吸液飽和状態になることが無く、長期間に亘って安定的に被洗浄面の液体を迅速、且つ確実に除去することができる。
【手続補正３】
【補正対象書類名】明細書
【補正対象項目名】００１８
【補正方法】変更
【補正の内容】
【００１８】
第２の発明は、特に、第１の発明のロールにおいて、前記継ぎ手部Ａの端部から前記開口部の継ぎ手部Ａ側の端部に近づくほど開口面積が大から小に変化する絞り開口部が前記継ぎ手部Ａに形成されてあると共に、前記絞り開口部は前記開口部に連通するよう形成されてあるもので、絞り開口部と開口部が連接する位置において、流体の運動エネルギーを最大にし、圧力エネルギーを最小にすることができる。その為、絞り開口部において流体の運動エネルギーを徐々に上昇させ、圧力エネルギーを徐々に低下させることができるので、絞り開口部が形成されていない場合に比べて、絞り開口部と開口部が連接する位置において、流体の運動エネルギーを一層大きくし、圧力エネルギーを一層小さくして開口部における負圧を一層大きくすることが可能であり、一段と優れたベンチュリー効果を発現させることができ、ロール部に吸収された液体の除去機能が大幅に向上する。
【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
デバイスハウジングを有する植込み型パルス発生器（１０）であって、前記デバイスハウジングの一部分は電極として機能するように構成されている植込み型パルス発生器、
前記デバイスハウジング内に位置しかつ前記植込み型パルス発生器に接続された検出回路（１４６）、および
複数の皮下電極（３０６、３２２）をサポートするための少なくとも３個の個別の電極支持指（３０４、３２０）を含みかつ前記植込み型パルス発生器に接続された皮下電極アレイ（３００、３００Ａ）であって、不整脈の検出回路による検出によって、該皮下電極アレイ（３００、３００Ａ）の１個または１個以上の電極と前記デバイスハウジングの前記一部分との間において、患者に電気的刺激を供給するための皮下電極アレイ、を具備する、患者に不整脈治療を提供するためのシステム。
【請求項２】
請求項１に記載のシステムにおいて、前記皮下電極アレイは、患者に比較的高電圧の電気的刺激を提供する除細動電極アレイである、システム。
【請求項３】
請求項１に記載のシステムにおいて、前記検出回路は、徐脈性不整脈の発生を検出する回路を含み、さらに、前記皮下電極アレイは、徐脈性不整脈の発生を検出することによって、少なくとも１個のペーシングパルスを患者に提供するように構成されている、システム。
【請求項４】
請求項１に記載のシステムにおいて、前記検出回路は、心臓信号を検出するために、前記デバイスハウジングの少なくとも第１の表面上の少なくとも２個の検出電極を含む、システム。
【請求項５】
請求項２に記載のシステムにおいて、前記検出回路は、前記除細動電極アレイと前記デバイスハウジングを不整脈の検出に利用する、システム。
【請求項６】
請求項１に記載のシステムにおいて、前記デバイスハウジングは、高電圧ショックを提供するための少なくとも１個の表面を含んでいる、システム。
【請求項７】
請求項４に記載のシステムにおいて、前記デバイスハウジングは、高電圧ショックを提供するための少なくとも１個の表面を有し、前記高電圧ショックを提供するための表面は前記デバイスハウジングの前記少なくとも第１の表面とは異なる、システム。
【請求項８】
請求項１に記載のシステムにおいて、前記皮下電極アレイの前記複数の電極のそれぞれは、電気刺激を提供するために個別に励起可能である、システム。
【請求項９】
請求項１に記載のシステムにおいて、さらに、前記皮下電極アレイの前記複数の電極ののうちのどの１個またはそれ以上を励起して電気刺激を提供するかを選択するためのスイッチをさらに有する、システム。
【請求項１０】
請求項１に記載のシステムにおいて、少なくとも１個の個別電極支持指はさらに、前記検出回路に接続された検出電極をサポートする、システム。
【請求項１１】
請求項１０に記載のシステムにおいて、前記検出回路は、前記検出電極と前記デバイスハウジング間で信号を検出するように構成されている、システム。
【請求項１２】
請求項１０に記載のシステムにおいて、前記検出回路は、前記検出電極と前記皮下電極アレイの選択された１個の電極との間で信号を検出するように構成されている、システム。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
流体で支持されたマットレスの既知の硬さを繰り返し可能に選択する方法であって、該流体で支持されたマットレスは２つ以上の流体で膨張される袋によって支持され、該２つ以上の袋の膨張は手で保持可能な遠隔操作されるコントローラからの指令に応答するポンプによって果たされており、
流体圧力値の対応する進行に対して数値の進行を割り当てるステップであって、各数値は既知の流体圧力値に対応し該流体で支持されたマットレスの特定の硬さをユーザーに示す、ステップと、
２つ以上の袋の間で選択し、その膨張を個別に調整するステップであって、第１の袋によって支持される該流体で支持されたマットレスの部分は、選択された硬さを有し、該硬さは、第２の袋によって支持される該流体で支持されたマットレスのさらなる部分の硬さとは独立して選択され得る、ステップと、
ユーザーが選択した数値を該コントローラに入力するステップと、
該ユーザーが選択した数値を該コントローラに表示するステップと、
該ユーザーが選択した数値を電子無線伝送回路を通して該ポンプに伝送するステップと、
該ユーザーが選択した数値が該コントローラに入力されてからの経過時間をモニタリングするステップと、
該コントローラによりユーザーが選択した数値に対応する流体圧力まで２つ以上の流体袋のうちの選択された１つの流体袋の膨張を調整することを該ポンプに命令するステップであって、該命令するステップは、測定された圧力値と該ユーザーが選択した数値に対応する圧力とが予め決定された量だけ異なり、かつ該経過時間が予め決定された制限時間を越えていない場合に生じ、該流体で支持されたマットレスの特定の硬さは、該コントローラ上の同じ数値を繰り返し選択することによって繰り返すことが可能である、ステップと、
を備える、方法。
【請求項２】
２つ以上の流体袋の現在の膨張に関連する数値を前記コントローラ上に表示するステップをさらに備える、請求項１に記載の方法。
【請求項３】
流体圧力値の対応する進行に対して、数値の線形の進行を割り当てるステップをさらに備える、請求項２記載の方法。
【請求項４】
流体圧力値の対応する進行に対して、数値の非線形の進行を割り当てるステップをさらに備える、請求項２記載の方法。
【請求項５】
前記数値の進行の範囲は上端と下端とを有し、該範囲の上端は、該範囲の下端に比べて、２つ以上の流体袋の流体圧力のより大きい増分を示す、請求項４記載の方法。
【請求項６】
流体圧力値の対応する進行に対して数値の進行を割り当てるステップをさらに備え、該数値は０と１００との間にあり、増分は５である、請求項２記載の方法。
【請求項７】
流体で支持されたマットレスに対する手で保持可能な遠隔操作されるコントローラであって、該流体で支持されたマットレスは、ユーザーによって知覚される可変硬さを有し、該硬さは、２つ以上の支持する流体で膨張される袋の膨張に関連し、該２つ以上の袋の膨張はポンプによってなされ、ベースユニットが該ポンプと通信的に接続されており、
数値の進行を記憶する記憶手段であって、各数値は該支持する流体で膨張される袋の特定の膨張量に関連する、記憶手段と、
その膨張を個別に調整するために該２つ以上の袋の間で選択する選択手段であって、第１の袋によって支持される該流体で支持されたマットレスの部分は、該流体で支持されたマットレスの該部分について選択された硬さを有し、該硬さは、第２の袋によって支持される該流体で支持されたマットレスのさらなる部分とは独立して選択され得る、選択手段と、
該記憶手段と通信的に接続され、該数値の進行から選択された１つの数値を表示する表示手段と、
該表示手段に通信的に接続され、該表示手段に表示するべく所望の数値を選択するための操作手段であって、該所望の数値は、該流体で支持されたマットレスの既知の繰り返し可能な硬さの程度を表す、操作手段と、
該ベースユニットと電子的に接続された処理手段であって、該処理手段は、ユーザーが該コントローラを操作して所望の数値を選択してからの経過時間をモニタリングすることができる、処理手段と、
該ベースユニットに無線伝送回路を通して通信的に接続され、該表示手段に表示するために選択された該所望の数値に関連する信号を該ポンプに与えるための出力手段であって、該ベースユニットは、該流体で支持されたマットレスの所望の硬さを表す該繰り返し可能な硬さの程度まで該２つ以上の袋のうちの選択された１つの袋の膨張を調整することを該ポンプに命令し、該ポンプは、測定された圧力値と該選択された所望の数値に対応する圧力とが予め決定された量だけ異なり、かつ該経過時間が予め決定された制限時間を超えていない場合に、膨張を調整するように構成されている、出力手段と、
を含む、コントローラ。
【請求項８】
前記ベースユニットに通信的に接続され、前記２つ以上の袋の現在の膨張量に関する信号をそこから受ける入力手段をさらに含む、請求項７記載のコントローラ。
【請求項９】
前記表示手段は、前記２つ以上の流体袋の現在の膨張に関する数値を選択的に表示する、請求項８記載のコントローラ。
【請求項１０】
前記数値の進行は線形である、請求項７記載のコントローラ。
【請求項１１】
前記記憶された数値の進行は非線形である、請求項７記載のコントローラ。
【請求項１２】
前記数値の非線形の進行を記憶する記憶手段は、上端と下端とを有する数値範囲を有し、該範囲の上端は、該範囲の下端に比べ、前記２つ以上の流体袋の膨張のより大きい増分を示す、請求項７記載のコントローラ。
【請求項１３】
前記数値は０と１００との間にあり、増分は５である、請求項７記載のコントローラ。
【手続補正書】
【提出日】平成20年12月17日(2008.12.17)
【手続補正１】
【補正対象書類名】明細書
【補正対象項目名】発明の名称
【補正方法】変更
【補正の内容】
【発明の名称】露光装置及びデバイスの製造方法
【手続補正２】
【補正対象書類名】明細書
【補正対象項目名】特許請求の範囲
【補正方法】変更
【補正の内容】
【特許請求の範囲】
【請求項１】  反射型のレチクルを搭載するレチクルステージを備え、鉛直方向下方から前記レチクルに露光光を照射して、前記レチクルで反射された露光光を用いてウエハを露光する露光装置において、
空間を前記レチクルの反射面を含む平面で分割した際に、前記レチクルで反射させる露光光の光束が通過する空間とは反対側の空間に前記レチクルステージを移動させるためのガイド面を配置し、
前記レチクルステージと前記ガイド面が対向する位置に配置され、前記レチクルステージに対して鉛直方向下向きの力を発生させる非接触型の軸受と、
前記レチクルステージと前記ガイド面との間で、前記レチクルステージにかかる重力と前記軸受により前記レチクルステージにかかる力との和につりあう吸引力を発生させる吸引力発生手段とを備えることを特徴とする露光装置。
【請求項２】  前記レチクルステージは、前記ガイド面に沿って走査方向に非接触で往復移動する粗動ステージと、該粗動ステージに対して６軸方向に移動する微動ステージとを備えることを特徴とする請求項１に記載の露光装置。
【請求項３】  前記レチクルの反射面とガイド面との間に、前記粗動ステージの駆動点を配置したことを特徴とする請求項２に記載の露光装置。
【請求項４】  前記粗動ステージの推力発生機構は、走査方向に平行に複数配置されたリニアモータであり、該リニアモータをそれぞれ独立に制御することにより、前記粗動ステージの回転姿勢の制御を行なうことを特徴とする請求項３に記載の露光装置。
【請求項５】  前記リニアモータの固定子は、前記ベースに対して非接触で移動可能に支持されており、前記粗動ステージの移動反力により前記粗動ステージの駆動方向と反対方向に移動することを特徴とする請求項４に記載の露光装置。
【請求項６】  前記リニアモータの駆動点と前記固定子の重心位置が、少なくとも前記走査方向において略一致していることを特徴とする請求項４または５に記載の露光装置。
【請求項７】  前記粗動ステージの加速または減速に伴う発生力を前記微動ステージに非接触で伝達する電磁石をさらに備えることを特徴とする請求項２乃至６のいずれか１項に記載の露光装置。
【請求項８】  前記微動ステージは、前記粗動ステージに対して６軸方向に位置制御可能である６軸位置決め機構により、前記粗動ステージに対して非接触で支持されるとともに６軸方向に位置決めされることを特徴とする請求項２に記載の露光装置。
【請求項９】  前記微動ステージの自重を支持する自重支持機構をさらに備え、前記自重支持機構は、磁力により前記微動ステージを前記粗動ステージ側に押し上げるように自重を支持することを特徴とする請求項２に記載の露光装置。
【請求項１０】  前記微動ステージを、前記粗動ステージに対して６軸方向に位置制御可能である６軸位置決め機構をさらに備え、前記６軸位置決め機構による前記微動ステージの位置制御が行なわれていない場合、前記微動ステージは前記磁力により粗動ステージ側に押し付けられ、前記粗動ステージに設けられた位置決め部に突き当たることにより位置及び姿勢が規制されることを特徴とする請求項９に記載の露光装置。
【請求項１１】  前記位置決め部は、３個の球状体を円錐溝とＶ溝と平面にそれぞれ係合させることにより位置決めを行なうことを特徴とする請求項１０に記載の露光装置。
【請求項１２】  前記微動ステージの天板上に、前記微動ステージの鉛直方向であるＺ軸方向位置とローリングとピッチングを計測するための干渉計と、鉛直方向と垂直なＹ軸方向位置およびヨーイングを計測するための干渉計と、Ｙ軸及びＺ軸に直交するＸ軸方向位置を計測するための干渉計が搭載され、前記レチクルステージを支持しているベースと振動絶縁された投影光学系を支持しているベース上に、前記Ｚ軸方向位置とローリングとピッチングを計測するための長尺ミラーと、前記Ｙ軸方向位置およびヨーイングを計測するための短尺ミラーと、前記Ｘ軸方向位置を計測するための長尺ミラーとが搭載されていることを特徴とする請求項２乃至１１のいずれか１項に記載の露光装置。
【請求項１３】  反射型のレチクルを搭載するレチクルステージを備え、鉛直方向下方から前記レチクルに露光光を照射して、前記レチクルで反射された露光光を用いてウエハを露光する露光装置において、
空間を前記レチクルの反射面を含む平面で分割した際に、前記レチクルで反射させる露光光の光束が通過する空間とは反対側の空間に前記レチクルステージを移動させるためのガイド面を配置し、
前記レチクルステージと前記ガイド面の間に気体を供給する静圧軸受と、
前記レチクルステージと前記ガイド面との間で、前記レチクルステージにかかる重力と前記静圧軸受により前記レチクルステージにかかる力との和につりあう吸引力を発生させる吸引力発生手段とを備えることを特徴とする露光装置。
【請求項１４】  デバイスの製造方法であって、基板に感光材を塗布する工程と、感光材が塗布された基板の該感光材に請求項１乃至１３のいずれか１項に記載の露光装置によりパターンを転写する工程と、パターンが転写された基板を現像する工程と、を含むことを特徴とするデバイスの製造方法。
【手続補正３】
【補正対象書類名】明細書
【補正対象項目名】００１２
【補正方法】変更
【補正の内容】
【００１２】
【課題を解決するための手段】
上述した課題を解決し、目的を達成するために、本発明に係わる露光装置は、反射型のレチクルを搭載するレチクルステージを備え、鉛直方向下方から前記レチクルに露光光を照射して、前記レチクルで反射された露光光を用いてウエハを露光する露光装置において、空間を前記レチクルの反射面を含む平面で分割した際に、前記レチクルで反射させる露光光の光束が通過する空間とは反対側の空間に前記レチクルステージを移動させるためのガイド面を配置し、前記レチクルステージと前記ガイド面が対向する位置に配置され、前記レチクルステージに対して鉛直方向下向きの力を発生させる非接触型の軸受と、前記レチクルステージと前記ガイド面との間で、前記レチクルステージにかかる重力と前記軸受により前記レチクルステージにかかる力との和につりあう吸引力を発生させる吸引力発生手段とを備えることを特徴としている。
また、本発明に係わる露光装置は、反射型のレチクルを搭載するレチクルステージを備え、鉛直方向下方から前記レチクルに露光光を照射して、前記レチクルで反射された露光光を用いてウエハを露光する露光装置において、空間を前記レチクルの反射面を含む平面で分割した際に、前記レチクルで反射させる露光光の光束が通過する空間とは反対側の空間に前記レチクルステージを移動させるためのガイド面を配置し、前記レチクルステージと前記ガイド面の間に気体を供給する静圧軸受と、前記レチクルステージと前記ガイド面との間で、前記レチクルステージにかかる重力と前記静圧軸受により前記レチクルステージにかかる力との和につりあう吸引力を発生させる吸引力発生手段とを備えることを特徴としている。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
収容物を収容する２以上の収納袋と、これら収納袋を連結した連結紐体とを備える、防災袋。
【請求項２】
網状材料から形成された収納袋を備える、請求項１に記載の防災袋。
【請求項３】
上記収納袋と上記連結紐体とがループを形成するように互いに連結されている、請求項１又は請求項２のいずれかに記載の防災袋。
【請求項４】
収納部位から収納袋を引き出すための引き出し部を備える、請求項１から請求項３のいずれか１項に記載の防災袋。
【請求項５】
網状材料から形成された上記収納袋に照明装置が収納されているとともに、収納状態で網目を介して投光できるように構成されている、請求項２から請求項４のいずれか１項に記載の防災袋。
【請求項６】
網状材料から形成された上記収納袋に消火器が収納されているとともに、収納状態で網目を介して消火剤を散布できるように構成されている、請求項２から請求項５のいずれか１項に記載の防災袋。
【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
フォイル・バッグ（２４）に食品（４２）を充填するデバイス（１）であって、
フォイル・バッグ（２４）を移送する移送デバイス（２３）と、
所定量の固形食品（４２）を測り分ける分注デバイス（２７）と、
前記フォイル・バッグ（２４）に測定量の固形食品（４２）を充填する充填デバイス（１７、１８）と、
前記フォイル・バッグ（２４）を閉鎖する閉鎖デバイス（４３）と、
分配ユニット（３）が設けられる貯蔵ホッパ（２）とを備え、
前記分配ユニット（３）が、線形攪拌ユニットであることを特徴とするデバイス。
【請求項２】
前記攪拌ユニットが、横に往復させることができる下向きに方向付けられた棒を備えることを特徴とする請求項１に記載のデバイス。
【請求項３】
前記充填デバイス（１７、１８）が、前記フォイル・バッグ（２４）の充填位置で終端する製品ライン（１７）を含むことを特徴とする請求項１又は２に記載のデバイス。
【請求項４】
前記製品ライン（１７）がホッパの形態であることを特徴とする請求項３に記載のデバイス。
【請求項５】
前記製品ライン（１７）が移動可能であって、前記製品ライン（１７）の端部を前記フォイル・バッグ（２４）に入れ、そこから出すことができることを特徴とする請求項３または４に記載のデバイス。
【請求項６】
前記製品ライン（１７）が前記フォイル・バッグ（２４）に面するその端部で楔形であることを特徴とする請求項３〜５のうちいずれか一項に記載のデバイス。
【請求項７】
前記製品ライン（１７）の上方端部またはその上に、流体を前記製品ライン（１７）内に通すことができる流体出口（１８）が設けられることを特徴とする請求項３〜６のうちいずれか一項に記載のデバイス。
【請求項８】
前記流体出口（１８）が輪の形状であり及び／又は前記流体を輪形状に分配することができることを特徴とする請求項６に記載のデバイス。
【請求項９】
フォイル・バッグ（２４）に食品（４２）を充填する方法であって、
前記フォイル・バッグ（２４）を移送するステップと、
貯蔵ホッパ（２）に固形食品を保持するステップと、
所定量の固形食品（４２）を測り分けるステップと、
前記フォイル・バッグ（２４）に測定量の固形食品（４２）を充填するステップと、
前記フォイル・バッグ（２４）を閉鎖するステップとを含み、
線形撹拌ユニット（３）が貯蔵ホッパ（２）の固形食品を分配することを特徴とする方法。
【請求項１０】
製品ライン（１７）を使用して、前記固形食品（４２）を前記フォイル・バッグ（２４）内に通すことができることを特徴とする請求項９に記載の方法。
【請求項１１】
前記製品ラインは充填ホッパであることを特徴とする請求項１０に記載の方法。
【請求項１２】
前記製品ライン（１７）が前記フォイル・バッグ（２４）に移動されることを特徴とする請求項１０または１１に記載の方法。
【請求項１３】
前記製品ラインが、その後、離れて、戻ることを特徴とする請求項１２に記載の方法。
【請求項１４】
前記フォイル・バッグ（２４）が充填される時、空気などの気体が前記製品ライン（１７）内に吹き込まれることを特徴とする請求項１０〜１３のうちいずれか一項に記載の方法。
【請求項１５】
前記製品ライン（１７）が、食品と接触する側で、例えば蒸気で、湿潤されることを特徴とする請求項１０〜１４のうちいずれか一項に記載の方法。
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
MOCA、若しくはその薬理学的に許容し得る塩、又はそれらの水和物を有効成分として含有する医薬組成物。
【請求項２】
緑内障を予防及び／又は治療するための請求項１記載の組成物。
【請求項３】
網膜虚血性疾患を予防及び／又は治療するための請求項１記載の組成物。
【請求項４】
アルツハイマー病を予防及び／又は治療するための請求項１記載の組成物。
【請求項５】
MOCA遺伝子、あるいはMOCA、若しくはその薬理学的に許容し得る塩、又はそれらの水和物を含有することを特徴とする、神経細胞の軸索伸長剤。
【請求項６】
神経細胞が網膜神経節細胞又は海馬神経細胞である、請求項５記載の伸長剤。
【請求項７】
MOCA遺伝子、あるいはMOCA、若しくはその薬理学的に許容し得る塩、又はそれらの水和物を含有することを特徴とする、神経細胞のストレス耐性付与剤。
【請求項８】
神経細胞が網膜神経節細胞又は海馬神経細胞である、請求項７記載の付与剤。
【請求項９】
神経細胞にMOCA遺伝子を導入する、あるいはMOCA、若しくはその薬理学的に許容し得る塩、又はそれらの水和物を接触させることを特徴とする、神経細胞の軸索伸長方法。
【請求項１０】
神経細胞にMOCA遺伝子を導入する、あるいはMOCA、若しくはその薬理学的に許容し得る塩、又はそれらの水和物を接触させることを特徴とする、神経細胞のストレス耐性付与方法。
【請求項１１】
神経細胞が網膜神経節細胞又は海馬神経細胞である、請求項９又は１０記載の方法。
【請求項１２】
神経細胞に候補物質を接触させて及び／又は導入して培養し、接触後の当該細胞の軸索伸長変化を測定し、得られる測定結果を指標として神経細胞の軸索伸長作用を有する物質をスクリーニングする方法。
【請求項１３】
神経細胞に候補物質を接触させて及び／又は導入して培養し、培養後の当該細胞にストレスを付加し、付加後に培地中のLDHを検出し、得られる検出結果を指標として神経細胞にストレス耐性を付与する物質をスクリーニングする方法。
【請求項１４】
ストレスが酸化ストレスである、請求項１３記載の方法。
【請求項１５】
神経細胞が、MOCA遺伝子を破壊した又は発現抑制した形質転換細胞である、請求項１２〜１４のいずれか１項に記載の方法。
【請求項１６】
神経細胞が網膜神経節細胞又は海馬神経細胞である、請求項１２〜１５のいずれか１項に記載の方法。